(57)【要約】【課題】メモリカードを着脱可能な記録装置において、操作キーや表示部のレイアウトの自由度を損なうことなく、メモリカードを収納するカード収納部を配置し、かつ、小型で安価な記録装置を提供する。【解決手段】情報を表示するための表示部１３と、メモリカードを収納するためのカード収納部４０と、カード収納部４０に収納されたメモリカードの情報を装置本体側に伝達するためのカードスロットコネクタ４２とを有する記録装置において、カード収納部４０を表示部１１の裏面側に配置する。【選択図】　　　図１
2004106389.tif 000002
【特許請求の範囲】
【請求項１】
情報を表示するための表示部と、
メモリカードを収納するためのカード収納部と、
前記カード収納部に収納されたメモリカードの情報を装置本体に伝達するためのカードスロットコネクタと、
を有し、
前記カード収納部が前記表示部の裏面側に配置されたことを特徴とする記録装置。
【請求項２】
前記カード収納部が、前記表示部の表示面の裏側側であって前記表示部の表示面と略平行に設けられ、
メモリカードを前記カード収納部に挿入するための挿入口が、前記表示部に隣接して設けられたことを特徴とする請求項１に記載の記録装置。
【請求項３】
操作者が操作を行うための操作キーを有し、
同一の電気基板に、前記操作キーと前記表示部か接続され、
かつ前記カードスロットコネクタが実装されたことを特徴とする請求項１に記載の記録装置。
【請求項４】
装置本体に対して回動可能に取り付けられ、情報を表示するための表示部を有する表示ユニットと、
メモリカードを収納するためのカード収納部と、
前記カード収納部に収納されたメモリカードの情報を装置本体側に伝達するためのカードスロットコネクタと、
を有し、
前記カード収納部が前記表示ユニットに設けられたことを特徴とする記録装置。
【請求項５】
メモリカードを装置本体に挿入するための挿入口が、前記表示ユニットを回動するときの回動軸と平行な前記表示ユニットの側面に設けられたことを特徴とする請求項４に記載の記録装置。
【請求項６】
メモリカードを装置本体に挿入するための挿入口が、前記表示ユニットの後部側面に配置され、
前記表示ユニットを回動するときの回動軸の方向が、前記表示ユニットの左右方向であることを特徴とする請求項４に記載の記録装置。
【請求項７】
請求項１乃至７のいずれか１項に記載の記録装置に、ファクシミリ機能を具備させた複合機。
【請求項８】
請求項１乃至７のいずれか１項に記載の記録装置に、複写機能を具備させた複合機。
【発明の詳細な説明】
【０００１】
【発明の属する技術分野】
本発明は、メモリカードを収納することができる記録装置及び複合機に関する。
【０００２】
【従来の技術】
記録装置によって記録されるデータは、記録装置とパーソナルコンピュータなどとをケーブルでつなぎ、パーソナルコンピュータからケーブルを介して記録装置に送られていた。
【０００３】
ファクシミリ装置においては、情報技術、半導体技術の進歩により高機能化が進み、カラーコピー機能やカラープリンタ機能、カラースキャナ機能に加えて、電子メールやインタネットなどが使えるようなマルチメディア端末になってきているが、ファクシミリ装置に情報の伝達をするための手段としては電話回線を使っていた。
【０００４】
【発明が解決しようとする課題】
しかしながら、記録装置とパーソナルコンピュータなどとをケーブルでつなげると記録装置を設置する場所が制限されるために、ケーブルなどでつなげる必要のないデータの伝達手段が望まれている。また、ファクシミリ装置の持つ豊富な機能を有効に活用するために、他の様々な情報機器とデータの伝達を行うという要求が増えており、ファクシミリ装置にデータを伝達するための手段も多様化する必要が増している。
【０００５】
近年では、データを伝達する手段としては半導体記憶素子をカード形態にまとめたメモリカードを媒体としたものが多くなっている。例えば、デジタルカメラで撮った画像データの多くはメモリカードに記録される。デジタルカメラによって撮影され、メモリカードに記録された画像データに基づいて記録装置やファクシミリ装置の記録部で印刷するためには、メモリカードをファクシミリ装置などに収納する必要が生じる。
【０００６】
本発明は、メモリカードを収納するためのカード収納部を配置した記録装置および複合機を提供することを目的とする。
【０００７】
【課題を解決するための手段】
上述した課題を解決するために本発明の請求項１に記載した記録装置は、情報を表示するための表示部と、メモリカードを収納するためのカード収納部と、前記カード収納部に収納されたメモリカードの情報を装置本体に伝達するためのカードスロットコネクタと、を有し、前記カード収納部が前記表示部の裏面側に配置されたことを特徴とする。
【０００８】
また、請求項２に記載の発明は、請求項１に記載の記録装置において、前記カード収納部が、前記表示部の表示面の裏側側であって前記表示部の表示面と略平行に設けられ、メモリカードを前記カード収納部に挿入するための挿入口が、前記表示部に隣接して設けられたことを特徴とする。
【０００９】
また、請求項３に記載の発明は、請求項１に記載の記録装置において、操作者が操作を行うための操作キーを有し、同一の電気基板に、前記操作キーと前記表示部か接続され、かつ前記カードスロットコネクタが実装されたことを特徴とする。
【００１０】
また、請求項４に記載の記録装置は、装置本体に対して回動可能に取り付けられ、情報を表示するための表示部を有する表示ユニットと、メモリカードを収納するためのカード収納部と、前記カード収納部に収納されたメモリカードの情報を装置本体側に伝達するためのカードスロットコネクタと、を有し、前記カード収納部が前記表示ユニットに設けられたことを特徴とする。
【００１１】
また、請求項５に記載の発明は、請求項４に記載の記録装置において、メモリカードを装置本体に挿入するための挿入口が、前記表示ユニットを回動するときの回動軸と平行な前記表示ユニットの側面に設けられたことを特徴とする。
【００１２】
また、請求項６に記載の発明は、請求項４に記載の記録装置において、メモリカードを装置本体に挿入するための挿入口が、前記表示ユニットの後部側面に配置され、前記表示ユニットを回動するときの回動軸の方向が、前記表示ユニットの左右方向であることを特徴とする。
【００１３】
また、請求項７に記載の発明は、請求項１乃至７のいずれか１項に記載の記録装置に、ファクシミリ機能を具備させた複合機である。
【００１４】
また、請求項８に記載の発明は、請求項１乃至７のいずれか１項に記載の記録装置に、複写機能を具備させた複合機である。
【００１５】
【発明の実施の形態】
（第１の実施の形態）
本発明の第１の実施の形態についてファクシミリ装置を例にとり図１〜図５を参照して説明する。図１はファクシミリ装置の断面図であり、図２は本発明に関わるファクシミリ装置の外観図であり、図３はファクシミリ装置の操作部ユニットの断面図であり、図４はファクシミリ装置にメモリカードを挿入するための挿入口の詳細を表した斜視図であり、図５はファクシミリ装置の操作部ユニットの電気基板の概略レイアウト図である。
【００１６】
本実施の形態のファクシミリ装置は、操作者がファクシミリ送信、受信、コピー、電話などの各種の操作をするためのユーザインタフェイスとしての操作部ユニット１Ａと、本体に着脱自在に取り付けられ原稿の画像データを読み込むためのハンドスキャナユニット２と、複数枚の原稿を一枚ずつ分離し搬送するための原稿搬送部３と、カラーインクジェットプリンタエンジンからなる記録ユニット４と、電源やＮＣＵ（Ｎｅｔｗｏｒｋ　Ｃｏｎｔｒｏｌ　Ｕｎｉｔ）や各動作を制御している制御基板ユニット５と外装６とで構成されている。矢印７は原稿の搬送経路を示し、矢印８は記録紙の搬送経路を示す。なお、本ファクシミリ装置は、ハンドスキャナユニット２と記録ユニット４とによって複写機能を有し、ＮＣＵによってファクシミリ機能を有しており、複合機としての機能を備えている。
【００１７】
操作部ユニット１Ａには、後に詳細に説明するメモリカードを収納するためのカード収納部４０が設けられている。そして、カード収納部４０に収納したメモリカードに記憶してあるデジタルカメラやデジタルビデオカメラなどで撮影した際の画像データを読み出して、記録ユニット４で印刷することが可能である。メモリカードとしては、半導体記憶素子をカード形態にまとめた、例えばＣＦ（Ｃｏｍｐａｃｔ　Ｆｌａｓｈ）カードやＳＤ（Ｓｅｃｕｒｅ　Ｄｉｇｉｔａｌ）カード等がある。記録ユニット４のエンジンはプリンタで使われているものと同じ、カラーインクジェットプリンタのエンジンを使っているためメモリカードに記録されている画像データに基づいてカラーでしかも精細に印刷することができる。
【００１８】
次に操作部ユニット１Ａについて詳しく説明する。操作部ユニット１Ａの上面外観は、図２に示すように、情報を表示するための表示部１１と操作者が各動作を操作するための操作キー１２とで構成される。表示部１１には、フルドットの液晶２５が設けられており、液晶２５は、受信した電子メールの内容や画像などを液晶２５の画面に表示できるように比較的大型（ここでは約３インチ）のものを使っている。
【００１９】
操作キー１２は機能ごとに３つのエリアに分かれており、左から選択キーエリア１３、テンキーエリア１４、機能キーエリア１５になっている。選択キーエリア１３に設けられた選択キーは、液晶２５を見ながら各種設定をする時などに使うキーであり、テンキーエリア１４に設けられたテンキーは、電話をかけるときや電話帳の登録などに使うキーであり、機能キーエリアに設けられた機能キーはファクシミリの送信、受信やコピー、留守番電話の設定などを行うためのキーである。操作者の操作キー１２への操作に応じて、表示部１１の液晶２５の画面上に情報を表示することが可能である。図２はわかり易くするためにキーの数を少なく描いているが、実際の製品では、多機能化にともない操作キー１２の数も増えており、操作性を考えると最低３０キー程度必要である。このように液晶２５は大きくなり、操作キー１２の数も増えていることで、操作部ユニット１Ａの表面は、表示部１１と操作キー１２との２つの構成要素で専有されている。
【００２０】
操作部ユニット１Ａの断面について図３に基づいて説明する。操作部ユニット１Ａは、操作部カバー２１、キートップ２２、ゴムキー２３、電気基板２４、液晶２５、液晶ホルダ２６、液晶カバー２７、着脱可能なメモリカードを収納するためのカード収納部４０、カード収納部４０に収納したメモリカード４６の情報を装置本体側に伝達するためのカードスロットコネクタ４２とで構成されている。また、液晶２５と一体で形成されたフレキシブルケーブル３４は電気基板２４に接続されている。
【００２１】
操作者がキートップ２２の上面を押すことにより、押圧力がゴムキー２３を介して電気基盤２４に伝わり、電気基盤２４において所定の処理が行われる。なお、本発明においては、キートップ２２とゴムキー２３により操作キー１２が構成され、液晶２５と液晶ホルダ２６と液晶カバー２７により表示部１１が構成されている。
【００２２】
操作部ユニット１Ａのすぐ下には、原稿を搬送するための原稿搬送部３が設けられており、前記原稿搬送部３には原稿を一枚ずつ分離し搬送する分離ローラ２８、分離ローラ２８と協働してシートを分離するための分離片２９、搬送されてきた原稿を所定の速度で搬送する給紙ローラ３０、給紙コロ３１、装置の外に原稿を排出するための排紙ローラ３２及び排紙コロ３３が配置されている。
【００２３】
次にメモリカードを収納するためのカード収納部４０について詳しく説明する。カード収納部４０は操作部ユニット１Ａの内部であって、表示部１１の裏面側に位置している。メモリカード４６をカード収納部４０に挿入するための挿入口４１は表示部１１と隣接した操作部カバー２１の側面に、本実施の形態では表示部１１の後ろ側の側面に配置されている。カードスロットコネクタ４２は電気基板２４の表面に実装されている。
【００２４】
メモリカード４６の挿入口４１の外側には開閉可能に取り付けられたカードスロットカバー４５があり、カードスロットカバー４５を閉めた状態で、操作部カバー２１とカードスロットカバー４５とが同一面になるようにデザインされている。カードスロットカバー４５にはレバー４３が一体に形成されており、カードスロットカバー４５を閉めた時に、図示しない開閉センサスイッチをレバー４３が押すことでカードスロットカバー４５の開閉を検知している。そして、カードスロットカバー４５の開閉状態の検知により、カードスロットカバー４５が開いていると検知されたときには、装置本体とメモリカード４６との通信を禁止している。それにより、装置本体とメモリカード４６との通電状態中にメモリカード４６を抜き差しすることを防止し、メモリカード４６や装置本体の破壊がおきないようにしている。また、挿入口４１に近接した位置にカードリリースボタン４４が配置されており、このカードリリースボタン４４を押すことでメモリカード４６を取り出すことができる。
【００２５】
図５は電気基板２４の平面図であり、電気パターンおよび実装部品のエリアを示したものである。一般的に操作部ユニット１Ａにおける電気基板としては、コストダウンのために片面基板を使う場合が多く、本実施の形態でも片面基板を使っている。電気基板２４は大きく分けて３つのエリアに分けられる。Ａはカーボンスイッチパターンエリアであり、カーボンスイッチパターンエリアＡにはスイッチＳが実装されている。スイッチＳは、ゴムキー２３の裏面に印刷されたカーボンに対向している。そして、キートップ２２が押された時にカーボン同士が接触しスイッチＳが作動する。このエリアの上面にはゴムキー２３が一面に配置されているため、キーとキーの隙間のスペースであっても背の高い部品や外形の大きなチップ部品などはカーボンスイッチパターンエリアＡに実装できない。Ｂは部品実装エリアであり、装置本体の制御基板や液晶２５と接続するためのケーブルのコネクタや、大きなＩＣなどの部品を実装するためのエリアである。Ｃはカードスロットコネクタを実装し、メモリカード４６を収納するために必要なエリアである。
【００２６】
操作部ユニット１Ａにメモリカードを収納するためのカード収納部４０を設けようとしても、電気基盤２４にカードスロットコネクタ４２を実装した場合には、操作キー１２の存在している場所にはカード収納部４０は配置できない。よって、操作部ユニット１Ａの外面の内、操作キー１２を避けた領域にカード収納部４０のためのスペースを確保しなければならず、装置本体の小型化と、表示部１１の大型化及び操作キー１２の多数化とを達成することが困難となる。
【００２７】
また、操作部ユニット１Ａの電気基板２４以外の電気基盤にカードスロットコネクタ４２を実装する場合には、例えば、装置本体の制御基板などは、装置後方の最下部にあるためカード収納部へのアクセスが不便になる問題がある。また、カードスロットコネクタ４２を実装するための専用の電気基板を配置しようとすると、電気基板２４の下側にしか配置できないため、本体の高さが大きくなってしまい、またコストも上がってしまう問題がある。
【００２８】
しかしながら、本実施の形態においては、以下のような特有の効果を奏する。
【００２９】
カード収納部４０を表示部１１の裏面側に配置することにより、操作部ユニット１Ａの外面の全域を操作キー１２と表示部１１のレイアウトに使うことができ、制限のない自由なデザインを可能にし、表示部１１の大型化、操作キー１２の多数化に対応でき、かつメモリカード４６の抜き差しも容易にできる。
【００３０】
キートップ２２とゴムキー２３によって構成される操作キー１２には、操作者が操作キー１２を押圧する際のストロークを確保するために、操作キー１２を押圧する方向に高さが必要になる。表示部１１とメモリカード４６のカード収納部４０とを合わせた高さは、操作キー１２に必要とされる高さの範囲内に収めることができるために、操作部ユニット１Ａを大型化せずにメモリカード４６を収納するためのカード収納部４０を設けることができる。
【００３１】
操作部カバー２１の外観形状はデザインを良くするためにＲ面や自由曲面になっている場合が多く、装置本体を大きくせずにメモリカードを収納するためのスペースを確保することは困難である。しかしながら、表示部１１の液晶２５は平面であるために、装置の高さを大きくすることなくメモリカード４６を収納するカード収納部４０を設けることができる。
【００３２】
同一の電気基板に、操作キー１２と表示部１１とが接続され、かつカードスロットコネクタ４２を実装することにより、安価でかつ省スペースな構成を提供できる。
【００３３】
（第２の実施の形態）
本発明の第２の実施の形態について図６〜図９を参照して説明する。図６はこのファクシミリ装置の断面図であり、図７は本発明に関わるファクシミリ装置の外観図であり、図８はファクシミリ装置の操作部ユニットの断面図であり、図９はファクシミリ装置にメモリカードを挿入するための挿入口の詳細を表した斜視図である。
【００３４】
なお、第２の実施の形態は、第１の実施の形態における表示部を、装置本体に対して回動可能に取り付けられた表示ユニット１１１に設けたところが異なり、異なる部分を詳細に説明して、その他の構成については第１の実施の形態と同一であるため詳細な説明は省略する。
【００３５】
本実施の形態のファクシミリ装置は、操作者がファクシミリ送信、受信、コピー、電話などの各種の操作をするためのユーザインタフェイスとしての操作部ユニット１Ｂと、本体に着脱自在に取り付けられ原稿面の画像データを読み込むためのハンドスキャナユニット２と、複数枚の原稿を一枚ずつ分離し搬送するための原稿搬送部３と、カラーインクジェットプリンタエンジンからなる記録ユニット４と、電源基板やＮＣＵ基板や各動作を制御している制御基板からなる制御基板ユニット５と外装６とで構成されている。
【００３６】
操作部ユニット１Ｂの上面外観は、図７に示すように操作部ユニット１Ｂに回動可能に取り付けられた表示ユニット１１１と各種機能を操作するための操作キー１２とで構成される。
【００３７】
図８に示すように、操作部ユニット１Ｂは、操作部カバー２１とキートップ２２とゴムキー２３と電気基板１２４と表示ユニット１１１とで構成されている。なお、キートップ２２とゴムキー２３により操作キー１２が構成されている。
【００３８】
表示ユニット１１１について図８に基づいて詳しく説明する。表示ユニット１１１は、フレームおよび外装をなす上カバー１４１及び下カバー１４２と、各種情報を表示する液晶１４３と、アクリルなどの透明材で成型され、液晶１４３の硝子に直接操作者が触れないようにするための液晶カバー１４４と、暗い場所でも液晶１４３を視認できるように液晶１４３の背景を照らしているＬＥＤなどの光源と導光板からなるバックライト１４５と、液晶１４３と液晶カバー１４４とバックライト１４５とで構成される表示部の裏面側に配置されたメモリカード１４９を収納するためのカード収納部１６０と、カード収納部１６０に収納されたメモリカード１４９の情報を装置本体側に伝達するためのカードスロットコネクタ１４６と、カードスロットコネクタ１４６が実装されている電気基板１４７とで構成されている。
【００３９】
メモリカード１４９をカード収納部１６０に挿入するための挿入口１４８は表示ユニット１１１の後部側面にあり、挿入口１４８に近接した位置にカードリリースボタン１５０が配置されており、カードリリースボタン１５０を押すことでメモリカード１４９を取り出すことができる。
【００４０】
表示ユニット１１１の下カバー１４２は図示されていないアームが一体に形成されており、アームは操作部カバー２１に回動可能に取り付けられている。そして、表示ユニット１１１を回動するときの回動軸の方向は操作部ユニット１Ｂを操作する正面に対して左右方向となっている。これにより、操作者が立った状態で本装置を操作するときは表示ユニット１１１を寝かせ、また、椅子などに座った状態で操作する時は表示ユニット１１１を立てることができ、操作者に合わせて表示ユニット１１１を最も見やすい角度にできる。
【００４１】
なお、本実施の形態では、以下のような特有の効果を奏する。
【００４２】
カード収納部１６０を表示ユニット１１１に配置することによって、表示ユニット１１１以外の操作部ユニット１Ｂの外面を操作キー１２のレイアウトに使うことができ、制限のない自由なデザインを可能にし、情報を表示する液晶１４３の大型化及び操作キー１２の多数化に対応できる操作部ユニット１Ｂを開発することができる。
【００４３】
また、操作部カバー２１の外観形状はデザインを良くするためにＲ面や自由曲面になっている場合が多く、操作部ユニット１Ｂに装置本体を大きくすることなくメモリカード１４９を収納するためのスペースを確保することは困難であるが、表示ユニット１１１の液晶１４３は平面であるために、表示ユニット１１１内に容易にメモリカード１４９を収納するためのスペースを確保することができる。
【００４４】
カード収納部１６０を有する表示ユニット１１１を回動可能に取り付けることにより、メモリカード１４９の抜き差しする時に、表示ユニット１１１を回動して任意にメモリカード１４９の抜き差しの方向を変えることができるために操作性を向上できる。
【００４５】
メモリカード１４９をカード収納部１６０に挿入するための挿入口１４８を、表示ユニット１１１を回動するときの回動軸と平行な表示ユニット１１１の側面に設けることにより、メモリカード１４９の挿入口１４８は表示ユニット１１１の回動と連動するので、操作者は挿入口１４８の角度を自由に変えることができるためにさらに操作性を向上できる。
【００４６】
メモリカード１４９の挿入口１４８を表示ユニット１１１の後部側面に設けることにより、装置本体を設置する際に側面を壁につけてもメモリカード１４９を着脱することが可能であり、装置本体の設置位置の自由度が広がる。
【００４７】
表示ユニット１１１を回動するときの回動軸の方向を、表示ユニット１１１の左右方向とし、メモリカード１４９の挿入口１４８を表示ユニット１１１の後部側面に設けることにより、表示ユニット１１１を立てた状態にすると、メモリカード１４９の着脱方向が上下方向になる。よって、メモリカード１４９を取り出す際に着脱方向が水平方向である構成と比べて、メモリカード１４９が飛び出すことがなく非常に操作性が良くなる。また、メモリカードの挿入口１４８が操作者から見やすいためメモリカードを挿抜する際の操作性がよい。
【００４８】
なお、本発明のいずれの実施の形態においても、例えばＣＦカードやＳＤカードなどの比較的小さなメモリカードを使った例を用いて説明しているが、キャッシュカードやテレホンカードのような大きさのＩＣカード等のメモリカードを装着する場合も、表示ユニット１１１は大型化されておりキャッシュカードやテレホンカードのような大きさのメモリカードよりも大きいので容易にスペースを確保し上述した効果を得ることができる。
【００４９】
【発明の効果】
本発明により、操作キーや表示部のレイアウトの自由度を損なうことなくメモリカードを収納するためのカード収納部を配置することができ、小型で安価な記録装置を提供することができる。
【図面の簡単な説明】
【図１】本発明の第１の実施の形態に係るファクシミリ装置の断面図
【図２】本発明の第１の実施の形態に係るファクシミリ装置の外観図
【図３】本発明の第１の実施の形態に係る操作部ユニットの断面図
【図４】本発明の第１の実施の形態に係るカードスロット部の斜視図
【図５】本発明の第１の実施の形態に係る操作部の電気基板のレイアウト図
【図６】本発明の第２の実施の形態に係るファクシミリ装置の断面図
【図７】本発明の第２の実施の形態に係るファクシミリ装置の外観図
【図８】本発明の第２の実施の形態に係る操作部ユニットの断面図
【図９】本発明の第２の実施の形態に係るカードスロット部の斜視図
【符号の説明】
１Ａ，１Ｂ　操作部ユニット
２１　操作部カバー
２２　キートップ
２３　ゴムキー
２４　電気基板
２５　液晶
２６　液晶ホルダ
２７　液晶カバー
４０　カード収納部
４１　メモリカードの挿入口
４２　カードスロットコネクタ
４３　レバー
４４　リリースレバー
４５　カードスロットカバー
４６　メモリカード
１１１　表示ユニット
１４３　液晶
１４４　液晶カバー
１４５　バックライトユニット
１４６　カードスロットコネクタ
１４７　電気基板
１４８　メモリカードの挿入口
１４９　メモリカード
１６０　カード収納部
【図１】
2004106389.tif 000003
【図２】
2004106389.tif 000004
【図３】
2004106389.tif 000005
【図４】
2004106389.tif 000006
【図５】
2004106389.tif 000007
【図６】
2004106389.tif 000008
【図７】
2004106389.tif 000009
【図８】
2004106389.tif 000010
【図９】
2004106389.tif 000011